(57)【要約】【課題】電池内蔵機器をセットしない状態で接点を確実にカバーして安全性を向上する。【解決手段】充電台は、スプリング線３の接点部３ａを絶縁状態にカバーすると共に、接点部３ａの露出方向とカバー方向とに往復運動する接点カバー４と、接点カバー４が露出方向に移動するのを阻止するロックレバー５とを備える。充電台は、電池内蔵機器２０がセットされない非装着状態においては、ロックレバー５の突出部５ａが装着部２に突出するロック位置にあって、ロックレバー５の係止部５ｂを接点カバー４に係止して、接点カバー４の露出方向への移動を阻止し、電池内蔵機器２０をセットする装着状態においては、突出部５ａが電池内蔵機器２０で押し込まれる解除位置にあって、接点カバー４のロック状態を解除し、接点カバー４が電池内蔵機器２０に押されて露出方向に移動して接点部３ａを露出させて電池内蔵機器２０の電源端子２１に接触する。【選択図】図４
2009165239.tif 000002
【特許請求の範囲】
【請求項１】
充電できる電池を内蔵する電池内蔵機器(20)を嵌合状態で脱着できるように装着する装着部(2)を有するケース(1)と、このケース(1)内に設けられて、装着部(2)にセットされる電池内蔵機器(20)の電源端子(21)に接触される接点部(3a)を前記ケース(1)の装着部(2)に突出させてなるスプリング線(3)と、このスプリング線(3)の接点部(3a)を絶縁状態にカバーすると共に、装着部(2)にセットされる電池内蔵機器(20)に押されて接点部(3a)を露出させて電池内蔵機器(20)の電源端子(21)に接触するように、露出方向とカバー方向とに往復運動自在にケース(1)に連結してなる接点カバー(4)と、この接点カバー(4)が接点部(3a)を露出させる方向に向かって移動するのを阻止するロックレバー(5)とを備え、
前記ロックレバー(5)が、前記ケース(1)の装着部(2)に出入り自在に弾性的に突出する突出部(5a)と、この突出部(5a)に連結されて、接点カバー(4)の露出方向の移動を阻止する係止部(5b)とを備え、
前記ケース(1)の装着部(2)に電池内蔵機器(20)がセットされない非装着状態においては、ロックレバー(5)の突出部(5a)が装着部(2)に突出するロック位置にあって、係止部(5b)を接点カバー(4)に係止して、接点カバー(4)の露出方向への移動を阻止し、装着部(2)に電池内蔵機器(20)をセットする装着状態においては、前記突出部(5a)が電池内蔵機器(20)で装着部(2)から押し込まれる解除位置にあって、接点カバー(4)のロック状態を解除し、接点カバー(4)が電池内蔵機器(20)に押されて露出方向に移動して接点部(3a)を露出させて電池内蔵機器(20)の電源端子(21)に接触するようにしてなる充電台。
【請求項２】
前記接点カバー(4)が、前記ケース(1)の装着部(2)に出入りしてスプリング線(3)の接点部(3a)をカバーするカバー部(4A)と、このカバー部(4A)に連結されてケース(1)内に往復運動自在に配設されてなる往復ガイド部(4B)と、この往復ガイド部(4B)に連結されてカバー部(4A)を装着部(2)に弾性的に突出させる弾性体(4C)とを備える請求項１に記載される充電台。
【請求項３】
前記ロックレバー(5)が、装着部(2)の底面と平行な面内で回動自在にケース(1)に連結されてなる回動アーム(5A)の先端部に突出部(5a)を連結してなる形状で、回動アーム(5A)の後端を回転軸(16)を介してケース(1)に連結して、弾性体(7)でもって突出部(5a)を装着部(2)に弾性的に突出させている請求項１に記載される充電台。
【請求項４】
前記ロックレバー(5)の回動アーム(5A)が回動して、係止部(5b)を接点カバー(4)の係止位置と非係止位置に移動させる請求項３に記載される充電台。
【請求項５】
前記接点カバー(4)が往復ガイド部(4B)にストッパ凸部(4b)を有し、このストッパ凸部(4b)がロックレバー(5)の係止部(5b)に係止されて、接点カバー(4)の移動が阻止されるようにしてなる請求項２に記載される充電台。
【請求項６】
前記ロックレバー(5)が、先端部に係止部(5b)を有する回動アーム(5A)で、ロック位置において係止部(5b)が接点カバー(4)のストッパ凸部(4b)の係止位置にあり、解除位置において係止部(5b)がストッパ凸部(4b)の非係止位置にある請求項５に記載される充電台。
【発明の詳細な説明】
【技術分野】
【０００１】
本発明は、主として携帯電話などの電池内蔵機器をセットして、内蔵する電池を充電する充電台に関する。
【背景技術】
【０００２】
充電台は、セットされる電池内蔵機器の電源端子に接触される正負の接点を備えている。正負の接点に金属が接触してショートすると、大きなショート電流が流れる。また、正負の接点の電圧が高い場合には、濡れた手で接触すると感電する可能性もある。また、電圧が低い場合でも、長時間接触すると低温やけどを被るおそれがある。この弊害を解消するために、電池内蔵機器を装着しない状態では、接点をカバーで被覆する充電台が開発されている（特許文献１及び２参照）。
【特許文献１】特開２００４−２６６９５６号公報
【特許文献２】特開２００３−３１９５６６号公報
【発明の開示】
【発明が解決しようとする課題】
【０００３】
これらの特許文献に記載される充電台は、使用されない状態で接点を被覆する接点カバーを備えている。接点カバーは、携帯電話などの電池内蔵機器がセットされない状態で接点をカバーする。このため、携帯電話などがセットされない状態で、充電台の接点に金属等が接触してショートすることがなく、また、接点に人体が接触して低温やけどなどを起こすことがない。この充電台は、携帯電話などをセットすると、携帯電話に押されて接点カバーが接点を露出して携帯電話などの電源端子に接触させる。電源端子に接点を接触させて、携帯電話などの内蔵電池を充電する。したがって、この充電台は、接点カバーで接点に接触するのを防止できる。ただ、この構造の充電台は、接点カバーを携帯電話などで押して露出させるので、携帯電話などをセットすることなく、ユーザーが接点カバーを押圧すると接点が露出することがある。このため、ユーザーが接点に接触して低温やけどなどを起こす欠点を確実には阻止できない。
【０００４】
本発明は、さらに以上の欠点を解決することを目的に開発されたものである。本発明の重要な目的は、電池内蔵機器をセットしない状態では接点を確実にカバーして、低温やけど等の弊害を解消して安全性を向上できる充電台を提供することにある。
【課題を解決するための手段】
【０００５】
本発明の充電台は、前述の目的を達成するために以下の構成を備える。
充電台は、充電できる電池を内蔵する電池内蔵機器２０を嵌合状態で脱着できるように装着する装着部２を有するケース１と、このケース１内に設けられて、装着部２にセットされる電池内蔵機器２０の電源端子２１に接触される接点部３ａをケース１の装着部２に突出させてなるスプリング線３と、このスプリング線３の接点部３ａを絶縁状態にカバーすると共に、装着部２にセットされる電池内蔵機器２０に押されて接点部３ａを露出させて電池内蔵機器２０の電源端子２１に接触するように、露出方向とカバー方向とに往復運動自在にケース１に連結してなる接点カバー４と、この接点カバー４が接点部３ａを露出させる方向に向かって移動するのを阻止するロックレバー５とを備えている。ロックレバー５は、ケース１の装着部２に出入り自在に弾性的に突出する突出部５ａと、この突出部５ａに連結されて、接点カバー４の露出方向への移動を阻止する係止部５ｂとを備えている。充電台は、ケース１の装着部２に電池内蔵機器２０がセットされない非装着状態においては、ロックレバー５の突出部５ａが装着部２に突出するロック位置にあって、係止部５ｂを接点カバー４に係止して、接点カバー４の露出方向への移動を阻止し、装着部２に電池内蔵機器２０をセットする装着状態においては、突出部５ａが電池内蔵機器２０で装着部２から押し込まれる解除位置にあって、接点カバー４のロック状態を解除し、接点カバー４が電池内蔵機器２０に押されて露出方向に移動して接点部３ａを露出させて電池内蔵機器２０の電源端子２１に接触する。
【０００６】
本発明の請求項２の充電台は、接点カバー４が、ケース１の装着部２に出入りしてスプリング線３の接点部３ａをカバーするカバー部４Ａと、このカバー部４Ａに連結されてケース１内に往復運動自在に配設されてなる往復ガイド部４Ｂと、この往復ガイド部４Ｂに連結されて、カバー部４Ａを装着部２に弾性的に突出させる弾性体４Ｃとを備えている。
【０００７】
本発明の請求項３の充電台は、ロックレバー５が、装着部２の底面と平行な面内で回動自在にケース１に連結されてなる回動アーム５Ａの先端部に突出部５ａを連結してなる形状で、回動アーム５Ａの後端を回転軸１６を介してケース１に連結して、弾性体７でもって突出部５ａを装着部２に弾性的に突出させている。
【０００８】
本発明の請求項４の充電台は、ロックレバー５の回動アーム５Ａを回動させて、係止部５ｂを接点カバー４の係止位置と非係止位置に移動させている。
【０００９】
本発明の請求項５の充電台は、接点カバー４が往復ガイド部４Ｂにストッパ凸部４ｂを有し、このストッパ凸部４ｂをロックレバー５の係止部５ｂに係止して、接点カバー４の移動を阻止している。
【００１０】
本発明の請求項６の充電台は、ロックレバー５が、先端部に係止部５ｂを有する回動アーム５Ａで、ロック位置において、係止部５ｂが接点カバー４のストッパ凸部４ｂの係止位置にあり、解除位置において、係止部５ｂがストッパ凸部４ｂの非係止位置にある。
【発明の効果】
【００１１】
本発明の充電台は、電池内蔵機器をセットしない状態で接点を確実にカバーして、ユーザーが接点に接触して起こす低温やけど等の弊害を解消して安全性を向上できる特徴がある。それは、本発明の充電台が、接点カバーが接点部を露出させるのを、電池内蔵機器の装着でロック状態を制御するロックレバーで阻止するからである。本発明の充電台は、装着部に電池内蔵機器がセットされない非装着状態においては、ロックレバーが接点カバーを係止して、接点カバーが露出方向へ移動するを阻止するので、電池内蔵機器がセットされない状態で、接点カバーが不意に移動して接点部を露出させるのを防止して、ユーザーが接点に接触する等の弊害を確実に防止できる。また、装着部に電池内蔵機器をセットする装着状態においては、電池内蔵機器で操作されるロックレバーで接点カバーのロック状態を解除し、電池内蔵機器でもって接点カバーを露出方向に移動させて接点部を露出できるので、接点部を電池内蔵機器の電源端子に確実に接触させて充電できる。
【００１２】
本発明の請求項２の充電台は、接点カバーが、ケースの装着部に出入りして接点部をカバーするカバー部と、このカバー部に連結されてケース内に往復運動自在に配設されてなる往復ガイド部と、この往復ガイド部に連結されて、カバー部を装着部に弾性的に突出させる弾性体とを備えているので、接点カバーを簡単な構造としながら、安定してカバー方向と露出方向とに往復運動させて、接点部をカバーし、また、接点部を露出できる。
【００１３】
本発明の請求項３の充電台は、ロックレバーを、装着部の底面と平行な面内で回動自在にケースに連結されてなる回動アームの先端部に突出部を連結してなる形状として、回動アームの後端を回転軸を介してケースに連結して、弾性体でもって突出部を装着部に弾性的に突出させているので、ロックレバーの構造を簡単にしながら、突出部を確実にロック位置と解除位置と移動できる。
【００１４】
また、本発明の請求項４の充電台は、ロックレバーの回動アームを回動させて、係止部を接点カバーの係止位置と非係止位置に移動させるので、係止部の位置を安定して係止位置と非係止位置とに移動させて、確実に接点カバーをロック状態に係止できる。
【００１５】
さらに、本発明の請求項５の充電台は、接点カバーが往復ガイド部にストッパ凸部を有し、このストッパ凸部をロックレバーの係止部に係止して、接点カバーの移動を阻止するので、簡単な構造としながら、ロックレバーで確実に接点カバーをロック状態に係止できる。
【００１６】
本発明の請求項６の充電台は、ロックレバーを、先端部に係止部を有する回動アームとしており、ロック位置において係止部を接点カバーのストッパ凸部の係止位置とし、解除位置において係止部をストッパ凸部の非係止位置とするので、電池内蔵機器がセットされない非装着状態においては、係止位置にある係止部で接点カバーのストッパ凸部を係止して、接点カバーの露出方向への移動を確実に阻止し、電池内蔵機器をセットする装着状態においては、係止部を非係止位置として、接点カバーのロック状態を速やかに解除できる。
【発明を実施するための最良の形態】
【００１７】
以下、本発明の実施例を図面に基づいて説明する。ただし、以下に示す実施例は、本発明の技術思想を具体化するための充電台を例示するものであって、本発明は充電台を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１ないし図１２に示す充電台は、充電できる電池（図示せず）を内蔵する電池内蔵機器２０を脱着できるように装着して、内蔵している電池を充電する。電池内蔵機器２０は携帯電話である。ただ、本発明は、内蔵する電池を充電する電池内蔵機器２０を特定するものでなく、たとえば、ＭＤやＣＤの再生または録音再生機、デジタルカメラ、ゲーム機、パック電池等の二次電池を内蔵している全ての電池内蔵機器とすることができる。
【００２０】
充電台は、充電できる電池を内蔵する電池内蔵機器２０を嵌合状態で脱着できるように装着する装着部２を有するケース１と、このケース１内に設けられて、装着部２にセットされる電池内蔵機器２０の電源端子２１に接触される接点部３ａを有するスプリング線３と、このスプリング線３の接点部３ａを絶縁状態にカバーする接点カバー４と、この接点カバー４の動きをロックするロックレバー５とを備える。接点カバー４は、装着部２にセットされる電池内蔵機器２０に押されて接点部３ａを露出させて電池内蔵機器２０の電源端子２１に接触するように、露出方向とカバー方向とに往復運動自在にケース１に連結している。ロックレバー５は、接点カバー４が接点部３ａを露出させる方向に向かって移動するのを阻止するようにケース１に連結している。
【００２１】
図のケース１は、上面に装着部２を設けている。図の充電台は、電池内蔵機器２０の両端部を保持する第１の保持部１１と第２の保持部１２を対向してケース１の上面に突出して設けており、第１の保持部１１と第２の保持部１２の間に電池内蔵機器２０をセットする構造としている。電池内蔵機器２０は、第１の保持部１１と第２の保持部１２の間に嵌着されて定位置にセットされる。図の装着部２は、電池内蔵機器２０である携帯電話２０を水平な姿勢でセットして定位置に保持できる形状としている。第１の保持部１１と第２の保持部１２は、ケース１の表面に突出して、その間に電池内蔵機器２０をセットするようにしている。第１の保持部１１は、電池内蔵機器２０の端部から両側の一部に沿う内形としている。さらに、第１の保持部１１は、両側に設けた壁の内面に突出して、電池内蔵機器２０の端部の両側に設けているガイド凹部２３に案内されるガイド凸部１８を設けている。図に示す電池内蔵機器２０は、両側面の端部に、電池内蔵機器２０の長手方向に延びる溝状の凹部を設けてガイド凹部２３としている。溝状のガイド凹部２３は、一端を電池内蔵機器２０の端面に開口して、この開口部からガイド凸部１８を案内できるようにしている。図に示すガイド凸部１８は、第１の保持部１１に水平な姿勢で装着される電池内蔵機器２０のガイド凹部２３に沿う凸条で、電池内蔵機器２０の脱着方向に延長して、いいかえると、接点カバー４の往復運動方向に沿って設けている。この姿勢で設けられるガイド凸部１８は、第１の保持部１１に装着される電池内蔵機器２０の挿入方向、いいかえると装着部２に装着される電池内蔵機器２０の挿入方向を特定する。図の充電台は、詳細には後述するが、装着部２に装着される電池内蔵機器２０の端部で接点カバー４をケース１内に押し込んで接点部３ａを露出させて、電池内蔵機器２０の電源端子２１に接触させる。したがって、電池内蔵機器２０の挿入方向を特定する機構を備えることにより、電池内蔵機器２０を正しい姿勢で装着部２に挿入して、接点カバー４を確実にケース１内に押し込んで接点部３ａを電源端子２１に接触できる。図の充電台は、電池内蔵機器２０のガイド凹部２３と第１の保持部１１のガイド凸部１８をガイド機構として、電池内蔵機器２０を正しい姿勢で装着部２に案内しながら挿入して、接点部３ａを確実に電源端子２１に接触できる。第２の保持部１２は、電池内蔵機器２０の端部に沿う形状として、電池内蔵機器２０の端部に設けている係止凹部２２に案内されさる係止凸部１３を設けている。
【００２２】
さらに、ケース１は、図１２に示すように、内部に回路基板６を固定している。この回路基板６には、一対のスプリング線３をハンダ付けなどの方法で連結している。この回路基板６は、図示しないが、コネクタを介して充電回路に接続される。図の充電台は、ケース１に充電回路を内蔵しないが、充電回路を内蔵することもできる。
【００２３】
スプリング線３は、導電性と弾性のある線材で製作される。このスプリング線３は、ケース１の装着部２に突出する山形の接点部３ａを設けている。図９、図１１、及び図１２に示すスプリング線３は、全体の形状をＬ字状に折曲して、水平部３Ｂの後端を回路基板６に固定している。さらに、水平部３Ｂには、回路基板６に設けた貫通孔６ａに出入りできるように挿入される突出部３ｂを設けている。スプリング線３は、立上部３Ａを山形に折曲して接点部３ａとしている。山形の接点部３ａは、第１の保持部１１に設けた接点カバー４のスリット４ａからケース１の装着部２に突出して、電池内蔵機器２０の電源端子２１に接触される。接点部３ａは、水平部３Ｂと立上部３Ａを弾性変形させて、装着部２に弾性的に突出する。弾性変形する水平部３Ｂは、図１１に示すように、突出部３ｂを回路基板６の貫通孔６ａに出入りさせて、位置ずれしないように弾性変形する。図の充電台は、一対のスプリング線３を互いに平行な姿勢で回路基板６に連結して、山形の接点部３ａを第１の保持部１１からケース１の装着部２に突出させている。
【００２４】
接点カバー４は、電池内蔵機器２０をセットしない状態で、スプリング線３の接点部３ａをカバーする。接点カバー４の斜視図を図４と図６に示している。これらの図の接点カバー４は、スプリング線３の接点部３ａをカバーするカバー部４Ａと、このカバー部４Ａに連結されてケース１内に往復運動自在に配設してなる往復ガイド部４Ｂと、この往復ガイド部４Ｂに連結されてカバー部４Ａを弾性的に装着部２に突出させる弾性体４Ｃとを備える。
【００２５】
接点部３ａをカバーするカバー部４Ａは、絶縁材であるプラスチックで成形される。図の充電台は、第１の保持部１１の内面に接点部３ａを突出させているので、カバー部４Ａは、第１の保持部１１の内面に弾性的に突出するように設けられて、接点部３ａをカバーする。第１の保持部１１は、カバー部４Ａを出入りできるように案内する開口部１４を内側に設けている。一対の接点部３ａは、この開口部１４の内側に配設される。カバー部４Ａは、開口部１４に出入りできるように配設されて、一対の接点部３ａをカバーする。カバー部４Ａは、接点部３ａを出入りできるように案内するスリット４ａを設けている。スリット４ａは、露出方向とカバー方向に往復運動するカバー部４Ａの往復運動方向に平行な面内に設けられる。さらに、スリット４ａは、その内部で接点部３ａを往復運動できる幅、すなわち、接点部３ａのスプリング線３の太さよりも広くしている。
【００２６】
図において、接点カバー４は、カバー部４Ａの下面を往復ガイド部４Ｂに固定している。往復ガイド部４Ｂは、全体をプレート状として、ケース１に設けたガイド片１５でもって、露出方向とカバー方向に往復運動できるようにケース１に内蔵されている。ケース１はプラスチック製で、図５と図７に示すように、内面に突出するガイド片１５を一体的に成形して設けている。ガイド片１５はＬ字状で、往復ガイド部４Ｂの両側を保持して、往復運動自在にケース１に連結している。さらに、図４ないし図７の往復ガイド部４Ｂは、側面にストッパ凸部４ｂを突出させている。ストッパ凸部４ｂは、往復ガイド部４Ｂの往復運動を阻害しないように、ガイド片１５の間に配設される。このストッパ凸部４ｂは、ロックレバー５の係止部５ｂに当たって、往復ガイド部４Ｂの露出方向への移動を停止する位置に配設される。
【００２７】
往復ガイド部４Ｂに連結している弾性体４Ｃは、コイルスプリングからなる引っ張りバネで、一端を往復ガイド部４Ｂに、他端をケース１に連結している。この弾性体４Ｃは、往復ガイド部４Ｂを弾性的に引っ張って、カバー部４Ａを装着部２に突出させる。弾性体４Ｃに引っ張られる接点カバー４は、図９の断面図に示すように、カバー部４Ａが第１の保持部１１に設けている開口部１４の開口縁に当たって、引き出される位置が特定される。
【００２８】
ロックレバー５は、接点カバー４が露出方向に移動するのをロックする。このロックレバー５は、ケース１の装着部２に出入り自在に弾性的に突出する突出部５ａと、この突出部５ａに連結されて、接点カバー４の露出方向への移動を阻止する係止部５ｂとを備える。ロックレバー５は、ケース１の装着部２に電池内蔵機器２０をセットしない非装着状態においては、突出部５ａを装着部２に突出させるロック位置において、係止部５ｂを接点カバー４に係止して、接点カバー４の露出方向への移動を阻止する（図４参照）。また、装着部２に電池内蔵機器２０をセットする装着状態においては、突出部５ａが電池内蔵機器２０で装着部２から押し込まれる解除位置として、接点カバー４のロック状態を解除し、接点カバー４が電池内蔵機器２０に押されて露出方向に移動して、接点部３ａを露出させて電池内蔵機器２０の電源端子２１に接触させる（図６参照）。
【００２９】
図のロックレバー５は、回動アーム５Ａの先端部に突出部５ａを設けた形状で、プラスチックでもって回動アーム５Ａと突出部５ａを一体的に成形している。回動アーム５Ａは、後端を回転軸１６でケース１に連結している。回転軸１６は、装着部２の底面に垂直な姿勢で連結されて、回動アーム５Ａを装着部２の底面と平行な面内で回動自在にケース１に連結している。ロックレバー５は、回動アーム５Ａをケース１の内部に配設して、突出部５ａを装着部２に突出させている。ケース１は、突出部５ａをケース１の内側から外部に突出させる貫通孔１７を設けている。図の充電台は、第１の保持部１１の内面であって、電池内蔵機器２０の側面と対向する位置に貫通孔１７を設けている。突出部５ａは、装着部２にセットされる電池内蔵機器２０の側面に押されて、回動アーム５Ａを回動させる。ロックレバー５は、回動アーム５Ａに連結している弾性体７でもって突出部５ａを装着部２に弾性的に突出させる。この弾性体７は、回転軸１６に挿通しているコイルバネで、一端をケース１に、他端を回動アーム５Ａに連結して、突出部５ａを装着部２に突出させる。
【００３０】
ロックレバー５は、ケース１の装着部２に電池内蔵機器２０がセットされない非装着状態においては、突出部５ａを装着部２に突出させるロック位置にある。この状態におけるロックレバー５と接点カバー４の相対位置を図４と図５に示している。このロック位置において、ロックレバー５の係止部５ｂは、接点カバー４のストッパ凸部４ｂを係止する位置にある。すなわち、係止部５ｂが接点カバー４の露出方向への移動を阻止する。したがって、装着部２に電池内蔵機器２０がセットされない状態で、接点カバー４は接点部３ａを露出させることがない。
【００３１】
ロックレバー５は、ケース１の装着部２に電池内蔵機器２０がセットされる装着状態においては、図６の矢印Ａで示すように、突出部５ａが電池内蔵機器２０で装着部２から押し込まれて、ロック状態を解除する位置、すなわち解除位置にある。この状態におけるロックレバー５と接点カバー４の相対位置を図６と図７に示している。この解除位置において、ロックレバー５の係止部５ｂは、接点カバー４のストッパ凸部４ｂを係止しない位置にある。すなわち、ロックレバー５の係止部５ｂが接点カバー４の露出方向への移動を阻止しない。したがって、接点カバー４が接点部３ａを露出させる方向に移動できる状態となって、装着部２にセットされる電池内蔵機器２０でもって、図６の矢印Ｂで示すように、接点カバー４のカバー部４Ａが押される。電池内蔵機器２０で押されるカバー部４Ａは、接点カバー４を露出方向に移動して、接点部３ａを露出して電池内蔵機器２０の電源端子２１に接触させる。この状態で、接点部３ａから電源端子２１に通電して、電池内蔵機器２０の電池が充電される。
【００３２】
とくに、図に示す充電台は、電池内蔵機器２０の側面と対向する位置にロックレバー５の突出部５ａを配置している。この位置にロックレバー５の突出部５ａを配置する構造は、図９の矢印で示すように電池内蔵機器２０を装着部２にセットする状態において、第１の保持部１１の凹部に案内される電池内蔵機器２０が、まず、凹部の側面に位置するロックレバー５の突出部５ａを押圧し、その後、凹部の奥に位置する接点カバー４のカバー部４Ａを押圧する。すなわち、装着部２にセットされる電池内蔵機器２０は、ロックレバー５の突出部５ａを押圧して接点カバー４のロック状態を解除した後、カバー部４Ａを押圧して接点部３ａを露出させる。とくに、図の充電台は、前述のように、電池内蔵機器２０のガイド凹部２３を第１の保持部１１のガイド凸部１８に案内しながら、電池内蔵機器２０を正しい姿勢で装着部２に挿入できる。したがって、電池内蔵機器２０を装着部２にセットするときに、接点カバー４のロック状態を確実に解除しながら、接点カバー４を露出方向に移動させて接点部３ａを電池内蔵機器２０の電源端子２１に接触できる。
【００３３】
図３、図１０、及び図１１は、接点カバー４が移動して、接点部３ａを露出させる状態を示している。接点カバー４がこの位置に移動されるのは、図の鎖線で示すように、装着部２に電池内蔵機器２０がセットされる状態に限られる。したがって、図３、図１０、及び図１１は、接点カバー４の移動を説明するための図であって、電池内蔵機器２０を装着部２にセットしない状態で、接点カバー４はこの位置には移動しない。装着部２に電池内蔵機器２０がセットされない状態において、接点カバー４は、図１、図８、及び図９に示すように、接点部３ａを露出させない位置にある。
【００３４】
以上の充電台は、図６の矢印Ａで示すように、ロックレバー５を装着部２の底面と平行な面内で回動して、ロック位置から解除位置に移動させる。ただし、本発明の充電台は、ロックレバーの構造を、この実施例には特定しない。それは、ロックレバーを装着部の底面と垂直な面内に傾動できるようにケースに連結して、ロック位置から解除位置に移動できるからである。このロックレバーは、たとえば、ケースの装着部の底面に一体的に成形してなる傾動アームとし、傾動アームの先端に装着部に突出するように突出部と係止部を設けて実現できる。このロックレバーは、装着部に電池内蔵機器をセットしない状態では、係止部を接点カバーのストッパ凸部に係止して、接点カバーが露出方向に移動するのを停止する。装着部に電池内蔵機器がセットされると、突出部が装着部の底面からケース内に押し込まれて、係止部を非係止位置に移動して、接点カバーを露出方向に移動できる状態とする。この状態で、接点カバーは電池内蔵機器に押されて、接点部を露出させる。露出する接点部は、電池内蔵機器の電源端子に接触して電池を充電する。
【図面の簡単な説明】
【００３５】
【図１】本発明の一実施例にかかる充電台の斜視図である。
【図２】図１に示す充電台に電池内蔵機器をセットした状態を示す斜視図である。
【図３】電池内蔵機器がセットされた状態の充電台を示す斜視図である。
【図４】接点カバーのロック状態を示す斜視図である。
【図５】接点カバーのロック状態を示す底面斜視図である。
【図６】接点カバーのロック状態が解除された状態を示す斜視図である。
【図７】接点カバーのロック状態が解除された状態を示す底面斜視図である。
【図８】図１に示す充電台の平面図である。
【図９】図８に示す充電台のＡ−Ａ線断面図である。
【図１０】図３に示す充電台の平面図である。
【図１１】図１０に示す充電台のＡ−Ａ線断面図である。
【図１２】図１に示す充電台のスプリング線の取り付け構造を示す斜視図である。
【符号の説明】
【００３６】
１…ケース
２…装着部
３…スプリング線                  ３Ａ…立上部
３Ｂ…水平部
３ａ…接点部
３ｂ…突出部
４…接点カバー                    ４Ａ…カバー部
４Ｂ…往復ガイド部
４Ｃ…弾性体
４ａ…スリット
４ｂ…ストッパ凸部
５…ロックレバー                  ５Ａ…回動アーム
５ａ…突出部
５ｂ…係止部
６…回路基板                      ６ａ…貫通孔
７…弾性体
１１…第１の保持部
１２…第２の保持部
１３…係止凸部
１４…開口部
１５…ガイド片
１６…回転軸
１７…貫通孔
１８…ガイド凸部
２０…電池内蔵機器
２１…電源端子
２２…係止凹部
２３…ガイド凹部
【図１】
2009165239.tif 000003
【図２】
2009165239.tif 000004
【図３】
2009165239.tif 000005
【図４】
2009165239.tif 000006
【図５】
2009165239.tif 000007
【図６】
2009165239.tif 000008
【図７】
2009165239.tif 000009
【図８】
2009165239.tif 000010
【図９】
2009165239.tif 000011
【図１０】
2009165239.tif 000012
【図１１】
2009165239.tif 000013
【図１２】
2009165239.tif 000014